(57)【要約】【課題】窓開口部の遮蔽パターンを様々に変化させることができる可動式ロールスクリーンを提供することを課題とする。【解決手段】長手方向が上下方向に配置されたフレーム１０と、上端部及び下端部がフレーム１０に回転自在な状態で取り付けられた巻取軸２０と、巻取軸２０に巻回されたスクリーン３０と、スクリーン３０の先端部に取り付けられたウェイトバー４０とを備え、スクリーン３０の先端側を巻取軸２０から引き出し可能な可動式ロールスクリーン１であって、フレーム１０の上端部及び下端部は、窓開口部８ａ，８ｂの上縁部及び下縁部に設けられたガイドレール６ａ，６ｂに沿って横方向に移動自在であるとともに、ウェイトバー４０の上端部及び下端部は、ガイドレール６ａ，６ｂ又は窓開口部８ａ，８ｂ周辺に設けられた被係合部７に係合可能であることを特徴としている。【選択図】図１
2010095892.tif 000002
【特許請求の範囲】
【請求項１】
長手方向が上下方向に配置されたフレームと、
上端部及び下端部が前記フレームに回転自在な状態で取り付けられた巻取軸と、
前記巻取軸に巻回されたスクリーンと、
前記スクリーンの先端部に取り付けられたウェイトバーと、を備え、
前記スクリーンの先端側を前記巻取軸から引き出し可能な可動式ロールスクリーンであって、
前記フレームの上端部及び下端部は、窓開口部の上縁部及び下縁部に設けられたガイドレールに沿って横方向に移動自在であるとともに、
前記ウェイトバーの上端部及び下端部は、前記ガイドレール又は前記窓開口部周辺に設けられた被係合部に係合可能であることを特徴とする可動式ロールスクリーン。
【請求項２】
前記フレーム内には、前記ガイドレールに押し付けられるフレーム係合部材が設けられており、前記フレーム係合部材が前記ガイドレールに押し付けられることで、前記フレームが前記ガイドレールに係合されることを特徴とする請求項１に記載の可動式ロールスクリーン。
【請求項３】
前記フレーム内には、前記フレーム係合部材を前記ガイドレールに押し付ける弾性部材が設けられており、
前記フレームには、前記フレーム係合部材を前記弾性部材の弾性力に抗して移動させる係合解除手段が設けられていることを特徴とする請求項２に記載の可動式ロールスクリーン。
【請求項４】
前記フレーム係合部材は、前記ガイドレールに押し付けられる部位に、弾性材料で形成された固定部材が取り付けられていることを特徴とする請求項２又は請求項３に記載の可動式ロールスクリーン。
【請求項５】
前記フレームの両端部の少なくとも一方に、前記ガイドレールのレール溝内を転動するローラが設けられていることを特徴とする請求項１から請求項４のいずれか一項に記載の可動式ロールスクリーン。
【請求項６】
前記ウェイトバー内には、前記被係合部に押し付けられるウェイトバー係合部材が設けられており、前記ウェイトバー係合部材を前記被係合部に押し付けることで、前記ウェイトバーが前記被係合部に係合されることを特徴とする請求項１から請求項５のいずれか一項に記載の可動式ロールスクリーン。
【請求項７】
前記ウェイトバー内には、前記ウェイトバー係合部材を前記被係合部に押し付ける弾性部材が設けられており、
前記ウェイトバーには、前記ウェイトバー係合部材を前記弾性部材の弾性力に抗して移動させる係合解除手段が設けられていることを特徴とする請求項６に記載の可動式ロールスクリーン。
【請求項８】
前記ウェイトバー係合部材は、前記被係合部に押し付けられる部位に、弾性材料で形成された固定部材が取り付けられていることを特徴とする請求項６又は請求項７に記載の可動式ロールスクリーン。
【発明の詳細な説明】
【技術分野】
【０００１】
本発明は、建物などの窓開口部を遮蔽するための可動式ロールスクリーンに関する。
【背景技術】
【０００２】
建物に形成された窓開口部の遮光や目隠しのために、窓開口部を室内側から遮蔽するスクリーンとしては、窓開口部の側部にスクリーンの基端部を取り付け、スクリーンの先端部を窓開口部の上縁部及び下縁部に設けられたガイドレールに沿って移動させることで、スクリーンを水平方向に開閉させるものがある（例えば、特許文献１参照）。
【０００３】
【特許文献１】特許３４８５４３７号公報（段落００１２、図１）
【発明の開示】
【発明が解決しようとする課題】
【０００４】
前記した従来のスクリーンでは、スクリーンを閉めるときに、窓開口部の側部からスクリーンが引き出されるため、窓開口部の中央部のみを遮蔽することができず、窓開口部の遮蔽パターンが限定されている。
【０００５】
そこで、本発明では、前記した問題を解決し、窓開口部の遮蔽パターンを様々に変化させることができる可動式ロールスクリーンを提供することを課題とする。
【課題を解決するための手段】
【０００６】
前記課題を解決するため、本発明は、長手方向が上下方向に配置されたフレームと、上端部及び下端部が前記フレームに回転自在な状態で取り付けられた巻取軸と、前記巻取軸に巻回されたスクリーンと、前記スクリーンの先端部に取り付けられたウェイトバーと、を備え、前記スクリーンの先端側を前記巻取軸から引き出し可能な可動式ロールスクリーンであって、前記フレームの上端部及び下端部は、窓開口部の上縁部及び下縁部に設けられたガイドレールに沿って横方向に移動自在であるとともに、前記ウェイトバーの上端部及び下端部は、前記ガイドレール又は前記窓開口部周辺に設けられた被係合部に係合可能であることを特徴としている。
【０００７】
この構成では、フレームを窓開口部の上縁部及び下縁部に沿って横方向に移動させることで、スクリーンの引き出し位置を窓開口部の中央部や両側部に変更することができ、遮蔽パターンを様々に変化させることができる。
また、ウェイトバーと被係合部との係合位置を変更することで、窓開口部に対するスクリーンの角度を変更することができるため、窓からの眺望性及び窓の通風性を確保することができる。
また、スクリーンの一面を反射面とし、窓開口部や採光用ダクトから入射した光をスクリーンの反射面に反射させる場合には、遮蔽パターンや窓開口部に対するスクリーンの角度を変更することで、窓開口部や採光用ダクトから入射した光の採光量を調節することができる。
【０００８】
前記した可動式ロールスクリーンにおいて、前記フレーム内には、前記ガイドレールに押し付けられるフレーム係合部材が設けられており、前記フレーム係合部材が前記ガイドレールに押し付けられることで、前記フレームが前記ガイドレールに係合されるように構成することができる。
【０００９】
この構成では、フレーム内のフレーム係合部材をガイドレールに押し付けることで、フレームを簡単に位置決めすることができる。
【００１０】
前記した可動式ロールスクリーンにおいて、前記フレーム内には、前記フレーム係合部材を前記ガイドレールに押し付ける弾性部材が設けられており、前記フレームには、前記フレーム係合部材を前記弾性部材の弾性力に抗して移動させる係合解除手段を設けることができる。
【００１１】
この構成では、係合解除手段を操作して、フレーム内のフレーム係合部材をガイドレールから離間させることで、フレームとガイドレールとの係合状態を解除し、フレームを移動させることができるため、遮蔽パターンを簡単に変更することができる。
【００１２】
前記した可動式ロールスクリーンにおいて、前記フレーム係合部材は、前記ガイドレールに押し付けられる部位に、弾性材料で形成された固定部材が取り付けられていることが望ましい。
【００１３】
この構成では、弾性材料で形成された固定部材とガイドレールとの間に生じる摩擦力によって、フレームがガイドレールに対して確実に係合するため、スクリーンを引き出すときに、フレームの安定性を高めることができる。
【００１４】
前記した可動式ロールスクリーンにおいて、前記フレームの両端部の少なくとも一方に、前記ガイドレールのレール溝内を転動するローラが設けられていることが望ましい。
【００１５】
この構成では、ガイドレールのレール溝内をローラが転動することで、フレームをガイドレールに対してスムーズに移動させることができる。
【００１６】
前記した可動式ロールスクリーンにおいて、前記ウェイトバー内には、前記被係合部に押し付けられるウェイトバー係合部材が設けられており、前記ウェイトバー係合部材を前記被係合部に押し付けることで、前記ウェイトバーが前記被係合部に係合されるように構成することができる。
【００１７】
この構成では、ウェイトバー内のウェイトバー係合部材を被係合部に押し付けることで、ウェイトバーを簡単に位置決めすることができる。
【００１８】
前記した可動式ロールスクリーンにおいて、前記ウェイトバー内には、前記ウェイトバー係合部材を前記被係合部に押し付ける弾性部材が設けられており、前記ウェイトバーには、前記ウェイトバー係合部材を前記弾性部材の弾性力に抗して移動させる係合解除手段を設けることができる。
【００１９】
この構成では、係合解除手段を操作して、ウェイトバー内のウェイトバー係合部材を被係合部から離間させることで、ウェイトバーと被係合部との係合状態を解除し、ウェイトバーを移動させることができるため、遮蔽パターンを簡単に変更することができる。
【００２０】
前記した可動式ロールスクリーンにおいて、前記ウェイトバー係合部材は、前記被係合部に押し付けられる部位に、弾性材料で形成された固定部材が取り付けられていることが望ましい。
【００２１】
この構成では、弾性材料で形成された固定部材と被係合部との間に生じる摩擦力によって、ウェイトバーが被係合部に対して確実に係合するため、引き出されたスクリーンを確実に固定することができる。
【発明の効果】
【００２２】
本発明の可動式ロールスクリーンによれば、スクリーンの引き出し位置を窓開口部の中央部や両側部に変更することができ、遮蔽パターンを様々に変化させることができる。
また、窓開口部に対するスクリーンの角度を変更することができるため、窓からの眺望性及び窓の通風性を確保することができる。
また、窓開口部や採光用ダクトから入射した光をスクリーンに反射させる場合には、遮蔽パターンや窓開口部に対するスクリーンの角度を変更することで採光量を調節することができる。
【発明を実施するための最良の形態】
【００２３】
次に、本発明の実施形態について、適宜図面を参照しながら詳細に説明する。
本実施形態では、本発明の可動式ロールスクリーンを建物の出窓に適用した場合を例として説明する。
以下の説明では、出窓ユニットの全体構成を説明した後に、可動式ロールスクリーンについて詳細に説明する。
【００２４】
出窓ユニット２は、図１に示すように、平面視で台形状となっており、建物の外壁面から突出している。すなわち、出窓ユニット２は、建物の躯体（壁体）に設けられた開口部Ｋから建物の外側に突出しており、枠３と、上部４と、下部５と、上下一対のガイドレール６ａ，６ｂと、複数の被係合部７・・・と、から構成されている。
【００２５】
枠３は、アルミニウム合金製の押出形材であり、建物の躯体から張り出すとともに、建物の躯体に形成された開口部Ｋを囲むようにして、躯体に固定されている。本実施形態の枠３は、左右一対の袖枠ユニット３ａ，３ａと、正面枠ユニット３ｂと、から構成されている。
【００２６】
袖枠ユニット３ａは、四角枠状に形成されており、一方の側縁部が躯体の開口部Ｋの側縁部に固定されている。この袖枠ユニット３ａの枠部材によって囲まれた空間は、ガラス板が嵌め込まれる窓開口部８ａとなっている。
正面枠ユニット３ｂは、四角枠状に形成されており、両側縁部が左右の袖枠ユニット３ａ，３ａにそれぞれ固定されている。この正面枠ユニット３ｂの枠部材に囲まれた空間は、ガラス板が嵌め込まれる窓開口部８ｂとなっている。
【００２７】
上部４及び下部５は、平面視で台形状に形成されており、枠３の上面及び下面に取り付けられている。上部４は、例えば、天板や屋根カバーなどであり、枠３の上面を覆うように設けられている。また、下部５は、例えば、受台カバーや地板などであり、枠３の下面を覆うように設けられている。上部４と下部５とは対向して平行に設けられている。
【００２８】
ガイドレール６ａ，６ｂは、窓開口部８ａ，８ｂの上縁部及び下縁部の内側に設けられたレール部材であり、アルミニウム合金製の押出形材によって形成されている。
上下のガイドレール６ａ，６ｂは、窓開口部８ａ，８ｂの上縁部及び下縁部に沿って平面視で略コの字形状に形成されており、上側のガイドレール６ａと下側のガイドレール６ｂとは対向して平行に設けられている。
上側のガイドレール６ａには、図２（ｂ）に示すように、下向きに開口したレール溝６ｒが形成されている。このレール溝６ｒは、ガイドレール６ａの幅方向の中央部に開口したスリット状の開口部と、この開口部よりも溝幅が広く形成された内部と、が形成されている。
下側のガイドレール６ｂは、前記した上側のガイドレール６ａと同じ構成であり、上下の向きが反対に取り付けられている。
【００２９】
被係合部７は、後記する可動式ロールスクリーン１のウェイトバー４０と係合する部位であり、図１に示すように、出窓ユニット２のガイドレール６ａ，６ｂ、上部４及び下部５に設けられた穴部である。
【００３０】
上下のガイドレール６ａ，６ｂのレール溝６ｒ（図２（ｂ）参照）の底面には、複数の被係合部７・・・がレール溝６ｒに沿って所定の間隔で形成されている。上側のガイドレール６ａの各被係合部７・・・と、下側のガイドレール６ｂの各被係合部７・・・は、それぞれ上下に対向する位置に形成されている。上下のガイドレール６ａ，６ｂにおいて、被係合部７が設けられた部位は、レール溝６ｒの開口部が広く切り欠かれている。
【００３１】
上部４及び下部５において、建物の開口部Ｋに接続された縁部には、複数の被係合部７・・・が縁部に沿って所定の間隔で形成されている。上部４の各被係合部７・・・と、下部５の各被係合部７・・・は、それぞれ上下に対向する位置に形成されている。
【００３２】
なお、上下一対の被係合部７，７の位置や数は限定されるものではない。後記するように、上下一対の被係合部７，７にウェイトバー４０が係合されることで、スクリーン３０の角度が定まるため、この点を考慮して、被係合部７の位置や数が設定されている。
【００３３】
可動式ロールスクリーン１は、長手方向が上下方向に配置されたフレーム１０と、上端部及び下端部がフレーム１０に回転自在な状態で取り付けられた巻取軸２０と、この巻取軸２０に巻回されたスクリーン３０と、このスクリーン３０の先端部に取り付けられたウェイトバー４０と、を備えており、スクリーン３０の先端側を巻取軸２０から引き出し可能となっている。
【００３４】
フレーム１０は、図２（ａ）及び（ｂ）に示すように、四角筒状のフレーム本体１１と、このフレーム本体１１の上面に設けられたガイドローラ１２と、フレーム本体１１の下面から突出しているフレーム係合部材１３と、を備えている。
【００３５】
フレーム本体１１は、アルミニウム合金製の部材であり、図１に示すように、上下のガイドレール６ａ，６ｂの間に収まる高さに形成されている。
フレーム本体１１の上端部及び下端部には、出窓ユニット２の建物側に張り出した巻取軸支持部１１ａ，１１ａが設けられている。
フレーム本体１１の上面には、滑り止め用の固定部材１１ｂが貼着されている。この固定部材１１ｂは、弾性材料を用いて形成されており、本実施形態ではゴムシートを用いている。
【００３６】
ガイドローラ１２は、図３（ａ）及び（ｂ）に示すように、フレーム本体１１の上面に立設されたローラ支持部１２ａと、ローラ支持部１２ａの両側部に回転自在に取り付けられた四体のローラ１２ｂ・・・とを備えている。各ローラ１２ｂ・・・は、上側のガイドレール６ａのレール溝６ｒ内に収容されており、各ローラ１２ｂ・・・がレール溝６ｒの下面を転動することで、ガイドローラ１２はガイドレール６ａに沿って移動可能となっている。
【００３７】
フレーム係合部材１３は、アルミニウム合金製の棒状部材であり、フレーム本体１１内に挿入され、下部はフレーム本体１１の下面に形成された孔部から突出して、下側のガイドレール６ｂのレール溝６ｒ内に挿入されている。
【００３８】
フレーム係合部材１３の上端部には、横方向に突出した可動レバー１３ａが形成されている。可動レバー１３ａの先端部は、フレーム本体１１の側壁に形成された開口部１１ｃから外部に突出している。
フレーム本体１１の開口部１１ｃは、上下方向に延びているため、可動レバー１３ａを開口部１１ｃ内で上下方向に移動させることができる。なお、フレーム本体１１の開口部１１ｃの上縁部には、可動レバー１３ａに対向するように固定レバー１１ｄが横方向に突出している。
【００３９】
フレーム係合部材１３の下端部には、拡径された円板状の当接部１３ｂが形成されている。この当接部１３ｂの直径は、下側のガイドレール６ｂの開口部の溝幅よりも大きく形成されている。また、当接部１３ｂの下面には、滑り止め用の固定部材１３ｃが貼着されている。この固定部材１３ｃは、弾性材料を用いて形成されており、本実施形態ではゴムシートを用いている。
【００４０】
フレーム係合部材１３において、フレーム本体１１内に収容されている部位には、拡径されたコイルばね支持部１３ｄが形成されている。
また、フレーム本体１１の内面において、開口部１１ｃよりも下側の位置には、内面から突出した縮径部１１ｅが形成されている。フレーム係合部材１３のコイルばね支持部１３ｄは、フレーム本体１１の縮径部１１ｅよりも下側に配置されており、縮径部１１ｅとコイルばね支持部１３ｄとの間にコイルばね１４が配置されている。
【００４１】
コイルばね１４は、軸方向に伸縮自在な公知の弾性部材であり、上端部はフレーム本体１１の縮径部１１ｅの下面に係合され、下端部はフレーム係合部材１３のコイルばね支持部１３ｄの上面に係合されている。
そして、図２（ａ）及び（ｂ）に示すように、コイルばね１４の弾性力によってフレーム本体１１は押し上げられ、フレーム本体１１の上面が上側のガイドレール６ａに押し付けられる。このとき、ガイドローラ１２の各ローラ１２ｂ・・・は、レール溝６ｒの内面から離間した状態となる。
また、コイルばね１４の弾性力によってフレーム係合部材１３は押し下げられ、当接部１３ｂの下面に設けられた固定部材１３ｃが下側のガイドレール６ｂに押し付けられる。
このように、フレーム本体１１及びフレーム係合部材１３を上下のガイドレール６ａ，６ｂに押し付けて係合することで、フレーム１０を上下のガイドレール６ａ，６ｂの任意の位置に取り付けることができる。
【００４２】
フレーム１０と上下のガイドレール６ａ，６ｂとの係合状態を解除するときには、図３（ａ）及び（ｂ）に示すように、フレーム本体１１の外面に突出した可動レバー１３ａを手動で上方に移動させて、フレーム係合部材１３を上方に移動させることで、コイルばね１４をコイルばね支持部１３ｄによって押し込んで収縮させる。
なお、フレーム本体１１の固定レバー１１ｄと可動レバー１３ａとを片手で摘んで、固定レバー１１ｄに対して可動レバー１３ａを引き寄せることによって、フレーム係合部材１３を簡単に移動させることができる。
【００４３】
フレーム係合部材１３が上方に移動し、当接部１３ｂが下側のガイドレール６ｂのレール溝６ｒの内面から離間すると、ガイドローラ１２の各ローラ１２ｂ・・・が上側のガイドレール６ａのレール溝６ｒの内面に当接し、フレーム１０が上側のガイドレール６ａに吊り下げられた状態となる。これにより、フレーム本体１１及びフレーム係合部材１３の各固定部材１１ｂ，１３ｃが各ガイドレール６ａ，６ｂから離間し、フレーム１０と上下のガイドレール６ａ，６ｂとの係合状態が解除される。
すなわち、フレーム係合部材１３の可動レバー１３ａは、フレーム係合部材１３をコイルばね１４の弾性力に抗して移動させるための操作子であり、フレーム１０と上下のガイドレール６ａ，６ｂとの係合状態を解除する係合解除手段を構成するものである。
【００４４】
フレーム１０とガイドレール６ａ，６ｂとの係合が解除された状態では、ガイドローラ１２の各ローラ１２ｂ・・・が上側のガイドレール６ａのレール溝６ｒ内を転動可能となっている。すなわち、フレーム１０の上端部及び下端部は、上下のガイドレール６ａ，６ｂに沿って横方向に移動自在となっている。
そして、フレーム１０を上下のガイドレール６ａ，６ｂに沿って移動させた後に、可動レバー１３ａから手を離すと、図２（ａ）及び（ｂ）に示すように、コイルばね１４の弾性力によってフレーム１０が上下のガイドレール６ａ，６ｂに押し付けられて係合した状態となる。
【００４５】
巻取軸２０は、図１に示すように、上端部及び下端部がフレーム１０の巻取軸支持部１１ａ，１１ａに回転自在な状態で取り付けられている。この巻取軸２０は、図示しない渦巻きばねやコイルばねによって、一方向に向けて回転力が付与されている。
【００４６】
スクリーン３０は、巻取軸２０に巻回されており、スクリーン３０の先端側を引き出し可能となっている。スクリーン３０は、巻取軸２０に付与された回転力の回転方向と同一方向に巻回されている。すなわち、引き出されたスクリーン３０には巻取方向に引張力が作用しているため、スクリーン３０は撓むことなく張られた状態となる。
また、本実施形態では、スクリーン３０の片面に反射面が形成されている。この反射面は、例えば、アルミニウムや銀などの金属を蒸着したものや、プラスチックやポリエステルフィルムなどの樹脂素材に金属を蒸着したものである。
【００４７】
ウェイトバー４０は、スクリーン３０の先端縁に取り付けられた棒状部材であり、図４（ａ）に示すように、円筒状のウェイトバー本体４１と、このウェイトバー本体４１の上面に設けられた上側当接部４２と、ウェイトバー本体４１の下面から突出しているウェイトバー係合部材４３と、を備えている。
【００４８】
ウェイトバー本体４１は、アルミニウム合金製の円筒状部材であり、図１に示すように、出窓ユニット２の上部４と下部５との間に収まる高さに形成されている。
【００４９】
上側当接部４２は、図４（ａ）に示すように、ウェイトバー本体４１の上面に立設された円柱状の部材であり、上端部は拡径されており、その上面に滑り止め用の固定部材４２ａが貼着されている。この固定部材４２ａは、弾性材料を用いて形成されており、本実施形態ではゴムシートを用いている。また、上側当接部４２は、被係合部７内に挿入可能な大きさに形成されている。
【００５０】
ウェイトバー係合部材４３は、アルミニウム合金製の棒状部材であり、ウェイトバー本体４１内に挿入され、下部はウェイトバー本体４１の下面に形成された孔部から突出している。
【００５１】
ウェイトバー係合部材４３の上端部には、横方向に突出した可動レバー４３ａが形成されている。この可動レバー４３ａの先端部は、ウェイトバー本体４１の側壁に形成された開口部４１ａから外部に突出している。
ウェイトバー本体４１の開口部４１ａは上下方向に延びているため、可動レバー４３ａを開口部４１ａ内で上下方向に移動させることができる。なお、ウェイトバー本体４１の開口部４１ａの上縁部には、可動レバー４３ａに対向するように固定レバー４１ｂが突出している。
【００５２】
ウェイトバー係合部材４３の下端部には、拡径された下側当接部４３ｂが形成されている。下側当接部４３ｂの下面には、固定部材４３ｃが貼着されている。この固定部材４３ｃは、弾性材料を用いて形成された滑り止め用の部材であり、本実施形態ではゴムシートを用いている。
【００５３】
ウェイトバー係合部材４３においてウェイトバー本体４１に収容されている部位には、拡径されたコイルばね支持部４３ｄが形成されている。このコイルばね支持部４３ｄは、ウェイトバー本体４１の内部に配置されている。
また、ウェイトバー本体４１の内面において、開口部４１ａよりも下側の位置には、内面から突出した縮径部４１ｃが形成されている。ウェイトバー係合部材４３のコイルばね支持部４３ｄは、ウェイトバー本体４１の縮径部４１ｃよりも下側に配置されており、縮径部４１ｃとコイルばね支持部４３ｄとの間にコイルばね４４が配置されている。
【００５４】
コイルばね４４は、軸方向に伸縮自在な公知の弾性部材であり、上端部はウェイトバー本体４１の縮径部４１ｃの下面に係合され、下端部はウェイトバー係合部材４３のコイルばね支持部４３ｄの上面に係合されている。
そして、コイルばね４４の弾性力によってウェイトバー本体４１は押し上げられ、上側当接部４２の固定部材４２ａは、上部４の被係合部７内に押し付けられる。
また、コイルばね４４の弾性力によってウェイトバー係合部材４３は押し下げられ、下側当接部４３ｂの固定部材４３ｃは、下部５の被係合部７内に押し付けられる。
このように、ウェイトバー係合部材４３を上下一対の被係合部７，７に押し付けて係合することで、ウェイトバー４０を任意の被係合部７，７に取り付けることができる。
【００５５】
ウェイトバー４０と被係合部７，７との係合状態を解除するときには、図４（ｂ）に示すように、ウェイトバー本体４１の外面に突出した可動レバー４３ａを手動で上方に移動させて、ウェイトバー係合部材４３を上方に移動させることで、コイルばね４４をコイルばね支持部４３ｄによって押し込んで収縮させる。
なお、ウェイトバー本体４１の固定レバー４１ｂと可動レバー４３ａとを片手で摘んで、固定レバー４１ｂに対して可動レバー４３ａを引き寄せることで、ウェイトバー係合部材４３を簡単に移動させることができる。
【００５６】
ウェイトバー係合部材４３が上方に移動すると、ウェイトバー４０が上部４と下部５との間に収まる高さに収縮され、ウェイトバー４０と上下一対の被係合部７，７との係合状態が解除される。
すなわち、ウェイトバー係合部材４３の可動レバー４３ａは、ウェイトバー係合部材４３をコイルばね４４の弾性力に抗して移動させるための操作子であり、ウェイトバー４０と被係合部７との係合を解除する係合解除手段を構成するものである。
【００５７】
ウェイトバー４０と上下一対の被係合部７，７との係合が解除された状態では、ウェイトバー４０全体が上部４と下部５との間に収まる高さとなっているため、ウェイトバー４０を横方向に移動自在となる。
そして、ウェイトバー４０を移動させた後に、上下一対の被係合部７，７の間で可動レバー４３ａから手を離すと、図４（ａ）に示すように、コイルばね４４の弾性力によってウェイトバー４０が上下一対の被係合部７，７に押し付けられて係合した状態となる。
【００５８】
以上のような可動式ロールスクリーン１によれば、図５に示すように、フレーム１０を窓開口部８ａ，８ｂの上縁部及び下縁部に沿って横方向に移動させることで、スクリーン３０の引き出し位置を窓開口部８ａ，８ｂの中央部や両側部に変更することができ、遮蔽パターンを様々に変化させることができる。
また、ウェイトバー４０と被係合部７との係合位置を変更することで、窓開口部８ａ，８ｂに対するスクリーン３０の角度を変更することができるため、窓からの眺望性及び窓の通風性を確保することができる。
また、遮蔽パターンや窓開口部８ａ，８ｂに対するスクリーン３０の角度を変更し、スクリーン３０の片面に形成された反射面の角度を調節することで、窓開口部８ａ，８ｂや採光用ダクトから入射した光の採光量を調節することができる。
【００５９】
また、図２（ａ）及び（ｂ）に示すように、フレーム本体１１からフレーム係合部材１３を伸長させて、フレーム１０の上面及びフレーム係合部材１３を上下のガイドレール６ａ，６ｂに押し付けて係合させることで、フレーム１０を簡単に位置決めすることができる。
このとき、フレーム本体１１の上面及び当接部１３ｂに貼着された固定部材１１ｂ，１３ｃと、上下のガイドレール６ａ，６ｂとの間に生じる摩擦力によって、フレーム１０が上下のガイドレール６ａ，６ｂに対して確実に係合するため、スクリーン３０を引き出すときに、フレーム１０の安定性を高めることができる。
【００６０】
また、図４（ａ）に示すように、ウェイトバー本体４１からウェイトバー係合部材４３を伸長させて、ウェイトバー４０の上側当接部４２及びウェイトバー係合部材４３を上下一対の被係合部７，７に押し付けて係合させることで、ウェイトバー４０を簡単に位置決めすることができる。
このとき、上側当接部４２及びウェイトバー係合部材４３の下側当接部４３ｂに貼着された固定部材４２ａ，４３ｃと上下の被係合部７，７との間に生じる摩擦力によって、ウェイトバー４０が被係合部７に対して確実に係合するため、引き出されたスクリーン３０（図１参照）を確実に固定することができる。
【００６１】
また、図３（ａ）及び（ｂ）に示すように、フレーム１０の可動レバー１３ａを操作して、フレーム１０内のフレーム係合部材１３を移動させることで、フレーム１０と上下のガイドレール６ａ，６ｂとの係合状態を解除し、フレーム１０を移動させることができるため、遮蔽パターンを簡単に変更することができる。
なお、フレーム１０を移動させるときには、ガイドレール６ａのレール溝６ｒ内をガイドローラ１２の各ローラ１２ｂ・・・が転動することで、フレーム１０をガイドレール６ｂに対してスムーズに移動させることができる。
【００６２】
また、図４（ｂ）に示すように、ウェイトバー４０の可動レバー４３ａを操作して、ウェイトバー４０内のウェイトバー係合部材４３を移動させることで、ウェイトバー４０と被係合部７，７との係合状態を解除し、ウェイトバー４０を移動させることができるため、遮蔽パターンを簡単に変更することができる。
【００６３】
以上、本発明の実施形態について説明したが、本発明は前記実施形態に限定されることなく、その趣旨を逸脱しない範囲で適宜に設計変更が可能である。
例えば、本実施形態では、図１に示すフレーム１０、巻取軸２０、ウェイトバー４０がアルミニウム合金で形成されているが、可動式ロールスクリーン１の各部品は金属製に限定されるものではなく、樹脂製の部品を用いることもできる。
【００６４】
また、本実施形態では、図３（ａ）に示すように、フレーム１０の上部にガイドローラ１２が設けられているが、フレーム１０の下部にガイドローラ１２を設けてもよく、さらには、フレーム１０の上部及び下部の両方にガイドローラ１２を設けてもよい。
【００６５】
また、本実施形態では、スクリーン３０の片面を反射面としているが、遮光のみを目的とした可動式ロールスクリーン１では反射面を設ける必要はない。
【図面の簡単な説明】
【００６６】
【図１】本実施形態の出窓ユニット及び可動式ロールスクリーンを示した斜視図である。
【図２】本実施形態のフレームとガイドレールとの係合状態を示した図で、（ａ）は正面断面図、（ｂ）は側断面図である。
【図３】本実施形態のフレームとガイドレールとの係合を解除した状態を示した図で、（ａ）は正面断面図、（ｂ）は側断面図である。
【図４】本実施形態のウェイトバーを示した図で、（ａ）はウェイトバーと被係合部との係合状態を示した側断面図、（ｂ）はウェイトバーと被係合部との係合を解除した状態を示した側断面図である。
【図５】本実施形態の可動式ロールスクリーンにおける遮光パターンを示した説明図である。
【符号の説明】
【００６７】
１      可動式ロールスクリーン
２      出窓ユニット
３      枠
４      上部
５      下部
６ａ    上側のガイドレール
６ｂ    下側のガイドレール
６ｒ    レール溝
７      被係合部
８ａ    窓開口部
８ｂ    窓開口部
１０    フレーム
１１    フレーム本体
１１ｂ  固定部材
１２    ガイドローラ
１２ａ  ローラ支持部
１２ｂ  ローラ
１３    フレーム係合部材
１３ａ  可動レバー
１３ｂ  当接部
１３ｃ  固定部材
２０    巻取軸
３０    スクリーン
４０    ウェイトバー
４１    ウェイトバー本体
４２    上側当接部
４２ａ  固定部材
４３    ウェイトバー係合部材
４３ａ  可動レバー
４３ｂ  下側当接部
４３ｃ  固定部材
Ｋ      開口部
【図１】
2010095892.tif 000003
【図２】
2010095892.tif 000004
【図３】
2010095892.tif 000005
【図４】
2010095892.tif 000006
【図５】
2010095892.tif 000007